(57)【特許請求の範囲】
【請求項１】
斜め下方に延びるパイプ体で構成され送水用のホース（Ｈ）を接続するホース接続部（２）と、該ホース接続部（２）と連通し該ホース接続部（２）から流入した水を噴出する散水孔（３ａ，３，・・・，３ｂ）を有する散水部（４）を備え、前記散水部（４）を直線状に延びるパイプ体で形成し、該パイプ体の下部にパイプ体の延びる方向に沿って前記散水孔（３ａ，３，・・・，３ｂ）を複数の個数で等間隔に設け、該散水部（４）の前記ホース接続部（２）側の散水孔（３ａ）からパイプ先端部（４ａ）側の散水孔（３ｂ）までの幅（Ｗ１）を灌水対象の育苗箱（Ｔ）の長手方向の幅（Ｌ１）或は短手方向の幅（Ｌ２）の略２倍に設定し、散水部（４）のパイプ先端部（４ａ）を閉塞する栓（６）を設け、散水部（４）の直線状に延びるパイプ体の軸心延長線（４ｂ）周りに作業者が手で握ることを可能とする第一のグリップ部（５ａ）を、散水部（４）のホース接続部（２）側部分の近傍に設け、前記パイプ体の軸心延長線（４ｂ）に対して直交或は略直交する線（４ｃ）周りに作業者が手で握ることを可能とする第二のグリップ部（５ｂ）を、散水部（４）に対して第一のグリップ部（５ａ）側を右としたときに第一のグリップ部（５ａ）よりも右側となる装置自体の右端部に設け、散水部（４）とホース接続部（２）が連通するパイプ部分（１０）に、散水部（４）に流れる水の量を調節する調節部（１１）を設け、該調節部（１１）の調節によって変動する水圧を表示する計器（１２）を設け、散水部（４）のパイプ先端部（４ａ）に直列に接続する複数の延長散水部（８）を設け、延長散水部（８）を直線状に延びるパイプ体で形成し、該パイプ体の下部にパイプ体の延びる方向に沿って散水孔（７ａ，７，・・・，７ｂ）を複数設け、延長散水部（８）の延長散水部接続部（８ｂ）側の散水孔（７ａ）からパイプ先端部（８ａ）側の散水孔（７ｂ）までの間に設ける複数の散水孔（７ａ，７，・・・，７ｂ）は、散水部（４）の散水孔（３ａ，３，・・・，３ｂ）の間隔と同間隔に設け、散水部（４）のパイプ先端部（４ａ）に直接接続する延長散水部（８）を第一の延長散水部（８）とすると、散水部（４）のパイプ先端部（４ａ）側の散水孔（３ｂ）と第一の延長散水部（８）の延長散水部接続部（８ｂ）側の散水孔（７ａ）の間隔も、前記散水部（４）の散水孔（３ａ，３，・・・，３ｂ）の間隔と同間隔となるように設け、散水部（４）のホース接続部（２）側の散水孔（３ａ）から第一の延長散水部（８）のパイプ先端部（８ａ）側の散水孔（７ｂ）までの幅（Ｗ２）を灌水対象の育苗箱（Ｔ）の長手方向の幅（Ｌ１）或は短手方向の幅（Ｌ２）の略３倍に設定した灌水装置。
【発明の詳細な説明】
【０００１】
【発明が属する技術分野】
本発明は、播種された育苗箱を多数並べた状態で育苗する際に用いる灌水装置の技術分野に属する。
【０００２】
【従来の技術】
従来、播種された育苗箱を多数並べた状態で育苗する際に行う灌水は、水道の蛇口に接続したホースの末端にジョロを取り付けて、そのジョロからシャワー状に出る水を育苗箱にかけて灌水していた。そして、ジョロから出る水の範囲は育苗箱より狭いので、ジョロを動かして育苗箱全域に水がかかるようにしていた。
【０００３】
【発明が解決しようとする課題】
上記のようにジョロで灌水する場合、育苗箱全域にわたり均一な量の水がかかるように灌水する必要がある。しかしながら、育苗箱全域に水が均等に行き渡るように心がけてジョロを動かしても、育苗箱の周囲側部分では、移動する散水域が重複することが箱中央側に比して比較的少ない等の理由から、灌水量が育苗箱の中央側部分に比して少なくなってしまう場合が多い。このため、育苗箱の周囲側部分における灌水量が充分ではなくなり、育苗箱の中央側部分に比して苗の成育が遅れてしまうことがあった。なお、育苗施設等で用いられる自走灌水装置は、高価であり、汎用的に使用できるものではない。そこで、本発明は、播種された育苗箱を多数並べた状態で育苗する際に用いる灌水装置であって、安価で且つ汎用的に使用でき、しかも、上記のような灌水ムラ、生育ムラが生じにくい灌水装置を得ることを課題とするものである。
【０００４】
【課題を解決するための手段】
本発明は、上記課題を解決するために、以下のような手段を講じたものである。
請求項１記載の発明は、斜め下方に延びるパイプ体で構成され送水用のホース（Ｈ）を接続するホース接続部（２）と、該ホース接続部（２）と連通し該ホース接続部（２）から流入した水を噴出する散水孔（３ａ，３，・・・，３ｂ）を有する散水部（４）を備え、前記散水部（４）を直線状に延びるパイプ体で形成し、該パイプ体の下部にパイプ体の延びる方向に沿って前記散水孔（３ａ，３，・・・，３ｂ）を複数の個数で等間隔に設け、該散水部（４）の前記ホース接続部（２）側の散水孔（３ａ）からパイプ先端部（４ａ）側の散水孔（３ｂ）までの幅（Ｗ１）を灌水対象の育苗箱（Ｔ）の長手方向の幅（Ｌ１）或は短手方向の幅（Ｌ２）の略２倍に設定し、散水部（４）のパイプ先端部（４ａ）を閉塞する栓（６）を設け、散水部（４）の直線状に延びるパイプ体の軸心延長線（４ｂ）周りに作業者が手で握ることを可能とする第一のグリップ部（５ａ）を、散水部（４）のホース接続部（２）側部分の近傍に設け、前記パイプ体の軸心延長線（４ｂ）に対して直交或は略直交する線（４ｃ）周りに作業者が手で握ることを可能とする第二のグリップ部（５ｂ）を、散水部（４）に対して第一のグリップ部（５ａ）側を右としたときに第一のグリップ部（５ａ）よりも右側となる装置自体の右端部に設け、散水部（４）とホース接続部（２）が連通するパイプ部分（１０）に、散水部（４）に流れる水の量を調節する調節部（１１）を設け、該調節部（１１）の調節によって変動する水圧を表示する計器（１２）を設け、散水部（４）のパイプ先端部（４ａ）に直列に接続する複数の延長散水部（８）を設け、延長散水部（８）を直線状に延びるパイプ体で形成し、該パイプ体の下部にパイプ体の延びる方向に沿って散水孔（７ａ，７，・・・，７ｂ）を複数設け、延長散水部（８）の延長散水部接続部（８ｂ）側の散水孔（７ａ）からパイプ先端部（８ａ）側の散水孔（７ｂ）までの間に設ける複数の散水孔（７ａ，７，・・・，７ｂ）は、散水部（４）の散水孔（３ａ，３，・・・，３ｂ）の間隔と同間隔に設け、散水部（４）のパイプ先端部（４ａ）に直接接続する延長散水部（８）を第一の延長散水部（８）とすると、散水部（４）のパイプ先端部（４ａ）側の散水孔（３ｂ）と第一の延長散水部（８）の延長散水部接続部（８ｂ）側の散水孔（７ａ）の間隔も、前記散水部（４）の散水孔（３ａ，３，・・・，３ｂ）の間隔と同間隔となるように設け、散水部（４）のホース接続部（２）側の散水孔（３ａ）から第一の延長散水部（８）のパイプ先端部（８ａ）側の散水孔（７ｂ）までの幅（Ｗ２）を灌水対象の育苗箱（Ｔ）の長手方向の幅（Ｌ１）或は短手方向の幅（Ｌ２）の略３倍に設定した灌水装置としたものである。
【０００５】
【０００６】
【０００７】
【作用】
請求項１記載の発明では、作業者Ｍがクリップ部５ａ，５ｂを手で握って持って散水部４が育苗箱Ｔの上方に位置するようにする。送水用のホースＨ内を流れる水は、接続部２から流入して散水部４の複数の散水孔３ａ，３，・・・，３ｂから出て行くが、散水部４の接続部２側の散水孔３ａからパイプ先端部４ａ側の散水孔３ｂまでの幅Ｗ１が育苗箱Ｔの長手方向の幅Ｌ１或は短手方向の幅Ｌ２の２倍以上の略整数倍に設定されていることから、散水部４の散水域は２列或はそれ以上の複数列に並べられた育苗箱の全幅にわたることになる。そして、このまま略一定の速度で作業者Ｍが育苗箱Ｔの並び方向に沿って移動することで、育苗箱Ｔの全域にほぼ均等に水がかけられることになる。しかも、複数の延長散水部８を散水部４の先端に直列に接続したので、散水部４で対応できる育苗箱Ｔの列数以上に育苗箱Ｔが並んだ場合に応じて散水域に容易に変更することができる。
【０００８】
また、作業者Ｍは、一方の手で、散水部４の直線状に延びるパイプ体の軸心延長線４ｂ周りに握ることを可能とする第一のグリップ部５ａを握り、他方の手で、前記パイプ体の軸心延長線４ｂに対して直交或は略直交する線４ｃ周りに手で握ることを可能とする第二のグリップ部５ｂを握って体に当てるようにして持つことで、直線状に長く延びる散水部４を適当な高さに略水平に維持して且つ散水部４が前後に振れないようにして持って歩くことが容易に行える。
【０００９】
また、作業者Ｍが歩く速度に対して散水部４に流れる水の量を調節部１１にて適宜調節することにより、必要な灌水量への調節が容易に行える。
【００１０】
【発明の効果】
請求項１記載の発明は、前記のごとく構成したものであるから、散水部４で対応できる育苗箱Ｔの列数以上に育苗箱Ｔが並んだ場合に応じて散水域に容易に変更することができ、播種された育苗箱Ｔを多数並べた状態で育苗する際に用いる灌水装置であって、安価で且つ汎用的に使用でき、しかも、容易に育苗箱Ｔの全域にほぼ均等に水がかけられるので、従来のような生育ムラが生じにくく良好な育苗ができるようになる。
【００１１】
更に、散水部４を適当な高さに略水平に維持し且つ散水部４が前後に触れないようにして持って歩くことが容易に行えるので、更に、灌水ムラが生じにくく、良好な育苗ができるようになる。
【００１２】
更に、必要な灌水量への調節が容易に行え、適量な灌水がムラなく行いやすく、良好な育苗ができるようになる。
【００１３】
【発明の実施の形態】
本発明の実施の形態について以下に説明する。
図１〜図３に示す灌水装置は本発明の第一実施例であり、図４に示す灌水装置は本発明の第二実施例であり、図５、図６は、第一実施例の灌水装置の使用状態を示している。
【００１４】
まず、図１〜図３に示した第一実施例について説明する。この灌水装置１Ａは、送水用のホースＨを接続する接続部２と、該接続部２と連通し該接続部２から流入した水を噴出する散水孔３ａ，３，・・・，３ｂを有する散水部４と、作業者Ｍが手で握ることを可能とするグリップ部５ａ，５ｂとを備えたものである。従って、この灌水装置１Ａを用いて灌水する際には、まず、水道の蛇口に接続された送水用のホースＨの末端部を接続部２に嵌合させて接続する。そして、水道の蛇口を開いて送水用のホースＨに水が流れるようにすれば、散水部４の散水孔３から水が噴出可能な状態となる。作業者Ｍはグリップ部５ａ，５ｂを手で握って持って散水部４の散水孔３ａ，３，・・・，３ｂを育苗箱Ｔに向け水が育苗箱Ｔにかかるようにして灌水を行う。なお、例えば、野菜の苗の育苗では、平面視長方形状で、横幅６０ｃｍ、縦幅３０ｃｍ、深さ３ｃｍ程度の大きさの標準的な育苗箱に、セル成形苗用の育苗トレイを嵌め込んだ状態として播種、育苗されることが多く、この場合の灌水量は、天候や生育状態等によって異なるが、一つの育苗箱Ｔ当り２００〜４００ｃｃの水を灌水する。育苗箱Ｔは、播種後、育苗ハウス内等で、２列或は３列等複数列に並べて栽培棚Ｓなどの上に置かれて育苗される。
【００１５】
この灌水装置１Ａは、更に、散水部４を直線状に延びるパイプ体で形成し、該パイプ体の下部にパイプ体の延びる方向に沿って前記散水孔３ａ，３，・・・，３ｂを複数設け、該散水部４の前記接続部２側の散水孔３ａからパイプ先端部４ａ側の散水孔３ｂまでの幅Ｗ１を、灌水対象の育苗箱Ｔの長手方向の幅Ｌ１或は短手方向の幅Ｌ２の２倍以上の略整数倍に設定している。図１、図２に示した例では、当該幅Ｗ１を育苗箱Ｔの長手方向の幅Ｌ１の略２倍（Ｗ１≒２×Ｌ１）に設定している。なお、散水部４の接続部２側の散水孔３ａからパイプ先端部４ａ側の散水孔３ｂまでの間に設ける複数の散水孔３ａ，３，・・・，３ｂは、適宜個数で等間隔に設ける。また、パイプ先端部４ａは栓６にて閉塞状態とする。
【００１６】
このように設定した場合は、図５、図６に示す使用状態のように、育苗箱Ｔの長手側の側部が互いに接する状態で並べた列を隙間なく２列形成されるように育苗箱Ｔを並べたときに使用するのに適する。具体的には、作業者Ｍがクリップ部５ａ，５ｂを手で握って持って散水部４が２列に並べられた育苗箱Ｔの上方に横たわるように位置させる。ここで、上記のように散水部４の接続部２側の散水孔３ａからパイプ先端部４ａ側の散水孔３ｂまでの幅Ｗ１を育苗箱Ｔの長手方向の幅Ｌ１の略２倍に設定しているので、散水部４の散水域がちょうど２列に並べられた育苗箱Ｔの全幅（２×Ｌ１）にわたることになる。そして、この状態で作業者Ｍは育苗箱Ｔの並び方向に沿って移動する。作業者Ｍが略一定の速度で移動すれば、育苗箱Ｔの全域にほぼ均等に水がかけられることになる。よって、上記のような灌水装置とすることにより、播種された育苗箱Ｔを多数並べた状態で育苗する際に用いる灌水装置であって、安価で且つ汎用的に使用でき、しかも、容易に育苗箱Ｔの全域にほぼ均等に水がかけられるので、従来のような生育ムラが生じにくく良好な育苗ができるようになる。
【００１７】
ところで、図３に示した例は、前記散水部４と同様に直線状に延びるパイプ体で形成し、該パイプ体の下部にパイプ体の延びる方向に沿って散水孔７ａ，７，・・・，７ｂを複数設けた延長散水部８を前記散水部４のパイプ先端部４ａに接続し、散水部４の接続部２側の散水孔３ａから延長散水部８のパイプ先端部８ａ側の散水孔７ｂまでの幅Ｗ２を灌水対象の育苗箱Ｔの長手方向の幅Ｌ１或は短手方向の幅Ｌ２の３倍以上の略整数倍に設定した例である。具体的にこの図例では、散水部４の接続部２側の散水孔３ａから延長散水部８のパイプ先端部８ａ側の散水孔７ｂまでの幅Ｗ２を、育苗箱Ｔの長手方向の幅Ｌ１の略３倍（Ｗ２≒３×Ｌ１）に設定している。このような延長散水部８を接続したものを、育苗箱Ｔの長手側の側部が互いに接する状態で並べた列を隙間なく３列形成されるように育苗箱Ｔを並べたときに使用すれば、散水部４と延長散水部８の散水域がちょうど３列に並べられた育苗箱Ｔの全幅（３×Ｌ１）にわたることになる。そして、この状態で作業者Ｍが育苗箱Ｔの並び方向に沿って略一定の速度で移動すれば、育苗箱Ｔの全域にほぼ均等に水がかけられることになる。このように延長散水部８を１或は複数、散水部４の先端に直列に接続することで、散水部４で対応できる育苗箱Ｔの列数以上に育苗箱Ｔが並んだ場合に応じて散水域に容易に変更することができる。
【００１８】
この延長散水部８を散水部４に接続するときは、散水部４の栓６を外しその栓６の替わりに延長散水部８を接続する。延長散水部８の散水部４への接続部８ｂには、例えば、外周にネジ部を形成し、これを散水部４のパイプ先端部４ａのパイプ内側に形成したネジ部に勘合させて接続する。なお、延長散水部８の接続部８ｂ側の散水孔７ａからパイプ先端部８ａ側の散水孔７ｂまでの間に設ける複数の散水孔７ａ，７，・・・，７ｂは、前記散水部４の散水孔３ａ，３，・・・，３ｂの間隔と同間隔に設け、散水部４のパイプ先端部４ａ側の散水孔３ｂと延長散水部８の接続部８ｂ側の散水孔７ａとの間隔も、前記散水部４の散水孔３ａ，３，・・・，３ｂの間隔と同間隔となるように設ける。また、延長散水部８のパイプ先端部８ａは栓９にて閉塞状態とする。散水部４の散水孔３ａ，３，・・・，３ｂ、及び延長散水部８の散水孔７ａ，７，・・・，７ｂは、上例では、噴出する水が霧状に近い状態となるよう小さい径の孔に設けているが、散布用のノズルを取付けるなど公知の散布部構成に適宜変更しても良い。
【００１９】
上例において、散水部４から前記接続部２側に散水部４のパイプ体と同軸心で直線状に延びるパイプ体で構成し、散水部４と接続部２が連通するパイプ部分である基部１０を設け、接続部２はその基部１０に対して斜め下方に延びるパイプ体で構成している。接続部２、基部１０、散水部４、延長散水部８は、各内部が互いに連通し、接続部２から流入する水は、散水部４の散水孔３ａ，３，・・・，３ｂ、延長散水部８の散水孔７ａ，７，・・・，７ｂからのみ噴出するようになっている。
【００２０】
次に、グリップ部５ａ，５ｂの構成について説明する。
この灌水装置１Ａには、散水部４の直線状に延びるパイプ体の軸心延長線４ｂ周りに作業者が手で握ることを可能とする第一のグリップ部５ａと、前記パイプ体の軸心延長線４ｂに対して直交或は略直交する線４ｃ周りに作業者が手で握ることを可能とする第二のグリップ部５ｂを設ける。図１〜３に示した灌水装置１Ａでは、第一のグリップ部５ａは灌水装置１Ａの右端部に、第二のグリップ部５ｂは散水部４の接続部２側部分の近傍に配置している。
【００２１】
上記のようにグリップ部５ａ，５ｂを構成すると、作業者Ｍは、一方の手で、散水部４の直線状に延びるパイプ体の軸心延長線４ｂ周りに握ることを可能とする第一のグリップ部５ａを握り、他方の手で、前記パイプ体の軸心延長線４ｂに対して直交或は略直交する線４ｃ周りに手で握ることを可能とする第二のグリップ部５ｂを握って体に当てるようにして持つことで、直線状に長く延びる散水部４を適当な高さに略水平に維持して且つ散水部４が前後に振れないようにして持って歩くことが容易に行え、更に灌水ムラが生じにくく、良好な育苗ができるようになる。なお、第一のグリップ部５ａは、前記軸心延長線４ｂ周りに握れる構成で、第二のグリップ部５ｂは、前記軸心延長線４ｂに対して直交或は略直交する線４ｃ周りに握れる構成であればよく、その具体的な形状は適宜構成して良い。また、散水部４の高さは、育苗箱Ｔの高さに応じて作業者Ｍが灌水装置を持つ高さを適宜調節することで行う。
【００２２】
図５、６の図例に基づいて更に詳細に説明すると、図６のような高さに育苗箱Ｔが栽培棚Ｓ上に置いている場合には、第一のグリップ部５ａを右手で握り、第二のグリップ部５ｂを左手で握り、そして、第一のグリップ部５ａと第二のグリップ部５ｂの間の基部１０を作業者Ｍの腹部に押し当てるように引きつけて体に当てて灌水装置１Ａを固定する。このとき、前後方向の軸心周りに握れる第二のグリップ部５ｂを握る手の位置を固定することで（第二のグリップ部５ｂを握る手を左側の腰付近に当てて固定すると固定しやすい）、散水部４の前後の振れが生じ難くなる。しかし、第二のグリップ部５ｂの固定だけでは、第二のグリップ部５ｂの前後方向の軸心周りに散水部４が上下に振れて散水部４が左右に傾くが、これに対しては左右方向の軸心周りに握れる第一のグリップ部５ａを握る手で固定でき、よって、散水部４を適当な高さに略水平に維持し且つ散水部４が前後に振れないようにして持って歩くことが容易に行える。
【００２３】
ところで、図４に示すようなグリップ構成とした灌水装置１Ｂとすることもできる。即ち、散水部４の直線状に延びるパイプ体の軸心延長線４ｂ周りに握ることを可能とする第一のグリップ部５ａを散水部４の接続部２側部分の近傍に、前記パイプ体の軸心延長線４ｂに対して直交或は略直交する線４ｃ周りに手で握ることを可能とする第二のグリップ部５ｂを灌水装置１Ｂの右端部に配置した構成であり、この構成でも上例と同じ効果を奏する。
【００２４】
上記灌水装置１Ａ、１Ｂには、散水部４と接続部２が連通するパイプ部分（前記基部１０）に散水部４に流れる水の量を調節する調節部１１を設けている。よって、作業者Ｍが歩く速度に対して散水部４に流れる水の量を調節部１１にて適宜調節することにより、必要な灌水量への調節が容易に行え、適量な灌水がムラなく行いやすく、良好な育苗ができるようになる。この調節部１１は、水道の栓に用いられるようなもので構成して良い。また、調節部１１の調節によって変動する値、例えば、水圧を表示する計器１２を設けると、調節がし易くなる。
【図面の簡単な説明】
【図１】本発明の第一実施例の灌水装置の正面図。
【図２】本発明の第一実施例の灌水装置の平面図。
【図３】延長散水部を接続した状態を示す断面図。
【図４】本発明の第二実施例の灌水装置の平面図。
【図５】本発明の第一実施例の灌水装置の使用状態を示す平面図。
【図６】本発明の第一実施例の灌水装置の使用状態を示す側面図。
【符号の説明】
１Ａ、１Ｂ：灌水装置
２：接続部
３ａ，３，・・・，３ｂ：散水孔
Ｗ１：散水部の接続部側の散水孔からパイプ先端部側の散水孔までの幅
４：散水部
５ａ：第一のグリップ部
５ｂ：第二のグリップ部
４ｂ：散水部の軸心延長線
４ｃ：散水部の軸心延長線に対して直交或は略直交する線
１１：調節部
Ｈ：送水用のホース
Ｔ：育苗箱
Ｌ１：育苗箱の長手方向の幅
Ｌ２：育苗箱の短手方向の幅
Ｍ：作業者
【図１】
0004686881.tif 000002
【図２】
0004686881.tif 000003
【図３】
0004686881.tif 000004
【図４】
0004686881.tif 000005
【図５】
0004686881.tif 000006
【図６】
0004686881.tif 000007